(57)【要約】【課題】切削ツールの寿命が長く、切削時に発生する切り粉も小さい口金を螺着したボールペンであって、口金を螺着する時に筆記体のペン先部が当接しても損傷しにくい筆記具を提供する。【解決手段】軸筒の先端部に、外径が先端に向かって除々に縮径する口金を着脱自在に螺着し、該軸筒内に筆記体を配設した筆記具であって、前記口金の内壁を、先端側の内径よりも口金の後端側の内径が大きい、複数の段部を有する段状に形成するとともに、前記段部の後端面を、口金の先端から後端に向かって拡径する傾斜面としたことを特徴とする。【選択図】      図１
2008030294.tif 000002
【特許請求の範囲】
【請求項１】
軸筒の先端部に、外径が先端に向かって除々に縮径する口金を着脱自在に螺着し、該軸筒内に筆記体を配設した筆記具であって、前記口金の内壁を、先端側の内径よりも口金の後端側の内径が大きい、複数の段部を有する段状に形成するとともに、前記段部の後端面を、口金の先端から後端に向かって拡径する傾斜面としたことを特徴とする筆記具。
【請求項２】
前記段部が、傾斜角度の異なる複数の傾斜面を連続して形成してあることを特徴とする請求項１に記載の筆記具。
【請求項３】
前記筆記体が、ボールを回転自在に抱持したボールペンチップを装着したボールペンレフィルであって、前記ボールペンチップの先端部が、先端に向かって縮径する傾斜面状とするとともに、前記口金の先端部側の段部の後端面が、前記ボールペンチップの傾斜面の角度よりも小さいことを特徴とする請求項１または２に記載の筆記具。
【発明の詳細な説明】
【技術分野】
【０００１】
本発明は、軸筒の先端部に、外径が先端に向かって除々に縮径する口金を着脱自在に螺着してなる筆記具に関する。
【背景技術】
【０００２】
従来から、軸筒の先端部に口金を着脱自在に螺着してなる筆記具はよく知られていて、特開２００５−７５８４号公報「筆記具」や本願出願人が開示した特許第３７５５８６６号公報「筆記具の軸筒」に開示されている。
【０００３】
ところで、前述した口金は、銅合金等の金属材料を用いることが一般的であり、この金属材料からなる棒材を任意の長さに切断し、その切断した棒材の外形形状及び内形形状を切削によって形成して、口金を形成している。
【０００４】
こうした口金は、筆記時に筆記先端部を見やすくする等のため、外壁の外径が先端に向かって除々に縮径している。また、内壁の内径も、重量の軽減等のために、外壁と同様に、先端に向かって除々に縮径する構造としてあるが、口金の先端から後端まで連続した壁面を切削すると、切削ツールの寿命が短くなるとともに、切削時に発生する切り粉も大きくなるため、製造上の問題から口金の内壁を段状に形成していた。
【特許文献１】「特開２００５−７５８４号公報」
【特許文献２】「特許３７５５８６６号公報」
【発明の開示】
【発明が解決しようとする課題】
【０００５】
しかし、口金の内壁を単に段状に形成しただけでは、切り粉は小さくなるが、段部の後端面での切削抵抗が大きく、切削ツールの寿命の向上は満足のいくものではなかった。
【０００６】
また、筆記体の交換や組立時に、口金を螺着する時に、筆記体のペン先部が、口金内壁の段部後端面に当接して、ペン先部を損傷する恐れがあった。特に筆記体がボールペンレフィルの場合には前記問題が頻繁に発生していた。
【０００７】
本発明の目的は、切削ツールの寿命が長く、切削時に発生する切り粉も小さい口金を螺着したボールペンであって、口金を螺着する時に筆記体のペン先部が当接しても損傷しにくい筆記具を提供することにある。
【課題を解決するための手段】
【０００８】
本発明は前記目的を達成するために、軸筒の先端部に、外径が先端に向かって除々に縮径する口金を着脱自在に螺着し、該軸筒内に筆記体を配設した筆記具であって、前記口金の内壁を、先端側の内径よりも口金の後端側の内径が大きい、複数の段部を有する段状に形成するとともに、前記段部の後端面を、口金の先端から後端に向かって拡径する傾斜面としたことを特徴とする。
【０００９】
また、前記段部が、傾斜角度の異なる複数の傾斜面を連続して形成してあることを特徴とする。
【００１０】
また、前記筆記体が、ボールを回転自在に抱持したボールペンチップを装着したボールペンレフィルであって、前記ボールペンチップの先端部が、先端に向かって縮径する傾斜面状とするとともに、前記口金の先端部側の段部の後端面が、前記ボールペンチップの傾斜面の角度よりも小さいことを特徴とする。
【発明の効果】
【００１１】
本発明の筆記具は前述したような構造なので、切削ツールの寿命が長く、切削時に発生する切り粉も小さい口金を螺着したボールペンであって、口金を螺着する時に筆記体のペン先部が当接しても損傷しにくい筆記具を提供することができた。
【発明を実施するための最良の形態】
【００１２】
本発明の実施例を図面を用いて説明する。同じ部材、同じ箇所を示すものは同じ符号を付す。
【００１３】
図１から図３に示す実施例１の筆記具１は、先ず、軸筒２をアクリルニトリルスチレン樹脂（ＡＳ樹脂）で成形し、軸筒２の把持部３にはグリップ部材４を着脱自在に装着してある。
【００１４】
また、軸筒２内に、筆記具用インキ１０を充填したインキ収容筒６の先端に、ボール９を回転自在に抱持したボールペンチップ８を、チップホルダー７を介して装着したボールペンレフィルを収納し、その後、黄銅を切削加工することにより形成した口金５の雌ねじ部１２を、軸筒２先端に形成した雄ねじ部１１に螺着して筆記具１を得ている。
【００１５】
前述したように、口金５は、金属材料からなる棒材を任意の長さに切断し、その切断した棒材の外壁形状及び内壁形状を切削によって形成して、口金５を形成してある。
【００１６】
尚、口金５の形成方法は、図示はしていないが、複数のドリルを用いて徐々に口金の内径を大きくするように切削してもよいし、予め段部の形状とした１本のドリルにて口金の内壁を切削してもよいが、予め段部の形状とした１本のドリルにて口金の内壁を切削するほうが、効率もよく、ドリルの交換やターンテーブルのような、複数のドリルを配設する場所を必要としないので最も好ましい。
【００１７】
また、口金５の内壁に、口金の先端側の内径Ｌよりも口金の後端側の内径Ｍを大きくなる複数個の段部Ａ〜Ｄを形成し、この段部の後端面ａ〜ｄを、口金５の先端から後端５ｂに向かって拡径する傾斜面としてある。
【００１８】
口金５の内壁に複数個の段部Ａ〜Ｄを形成することによって、切削時に発生する切り粉は、段部によって途切れるため、切り粉を小さくでき、ツール寿命も長くすることができるので、製造上、好ましい。
【００１９】
また、口金５の螺着時に、ボールペンチップ８の先端が内壁に当接しても、段部Ａ〜Ｄの後端面ａ〜ｄを口金５の先端開口部５ａから後端５ｂに向かって拡径する傾斜状に形成してあるので、ボールペンチップ８の先端が段部の後端面に引っかかり難く、傾斜状の後端面ａ〜ｄによって、ボールペンチップ８が口金５の先端開口部５ａ方向に移動するので、ボールペンチップ８の先端が損傷し難く、口金５を螺着し易い。
【００２０】
特に、口金５の螺着時に、口金５の先端部の内壁面はボールペンチップ９が当接し易いので、口金５の先端部側の段部Ａの後端面ａ２の傾斜角βを、ボールペンチップ９の先端に向かって縮径する傾斜面の傾斜角度γより小さくすることによって、口金５の内壁面にボールペンチップ８の先端が当接し難いため、ボールペンチップ８の損傷を防止効果が向上するので、好ましい。
【００２１】
更にまた、段部Ａのように、傾斜角度α、βの異なる複数の傾斜面ａ１、ａ２を連接することによって、ツールの負担も小さく、ツール寿命をより長くすることができるので好ましい。
【００２２】
本実施例では、便宜上、口金を黄銅で形成してあるが、ステンレス鋼やアルミニウム等、口金として一般的に知られている金属材料のなかから適宜選定すればよい。また、段部の数や大きさは特に限定されるものではないが、段部の後端面の全てを口金の先端から後端に向かって拡径する傾斜面状とすることが肝要である。
【００２３】
また、ボールペンチップの形状や材質等も特に限定されるものではないが、ステンレス綱材等の棒材から切削によって形成されるもの、金属細管を押圧変形して形成するもの、樹脂材料から成型によって形成されるもの等、適宜選択して用いることができる。
【産業上の利用可能性】
【００２４】
本発明の筆記具は、ノック式筆記具やキャップ式筆記具等、特に限定されることなく使用することができ、口金を取り外して筆記体を交換する筆記具として用いることが最も好ましい。
【図面の簡単な説明】
【００２５】
【図１】本発明のボールペンを示す、一部省略した縦断面図である。
【図２】図１における口金、グリップを取り外した口金のみ縦断面図とした図である。
【図３】図１における口金の拡大図である。
【符号の説明】
【００２６】
１  筆記具
２  軸筒
４  グリップ
５  口金
５ａ  先端開口部
５ｂ  後端
８  ボールペンチップ
１１  雄ねじ部
１２  雌ねじ部
Ａ〜Ｄ  段部
ａ〜ｄ  段部の後端面
β  段部後端面の角度
γ  ボールペンチップ先端部の傾斜面の角度
【図１】
2008030294.tif 000003
【図２】
2008030294.tif 000004
【図３】
2008030294.tif 000005